(57)【要約】【課題】本発明は置きやすい手持ちミニ扇風機を開示した。【解決手段】支えられる置き台を含み、置き台をテーブル面に置き、バックル押しバタンを押し、バックル押しバタンが左へ運動し、それにより弾性バックルとバックルチャンバの右側内壁とが引っ掛かり、バックル押しボタンがプッシュロッドを連動させて押出ブロックとスライド軸を押し動かして上へ運動させる。扇風機の置き台と充電台とを一緒に装着しており、扇風機が置かれたまま充電でき、使用されない時に鉛直に置かれ、それにより位置を固定し、ぶつかることで落ちて壊れることを防止でき、またテーブル面に置くスペースを減少し、これでテーブル面がきれいに見え、扇風機の角度を調節でき、それで異なる角度で一番大きな風に当たる面積を獲得することを保証できる。【選択図】図１
2020180609.tif 000002
【特許請求の範囲】
【請求項１】
支えられる置き台を含み、前記置き台の中にテーブル面に固定的に装着されることができる固定部品が設置され、前記固定部品は前記置き台の底部端面に設置されている吸盤溝を含み、前記吸盤溝の中には前記置き台をテーブル面に固定的に装着する吸盤がスライドできるように装着され、前記固定部品はまた前記置き台の中に設置されているバックルチャンバを含み、前記バックルチャンバと前記置き台の右側端面との間には前記バックルチャンバと連通しているバックルスライド溝が設置され、前記バックルスライド溝の中には前記吸盤をデーブル面に吸着できるバックル押しボタンがスライドできるように装着され、前記バックル押しボタンには前記吸盤の作動状態を保つ弾性バックルが設置され、前記弾性バックルと前記バックルチャンバの右側内壁とは引っ掛かることができ、前記吸盤溝の上側には扇風機本体を引っ掛からせるＴ型溝が設置され、前記Ｔ型溝と前記置き台の頂部端面とが連通しており、前記固定部品の上側には手持ちに便利を与える掴み部品が設置され、前記掴み部品は握りロッドを含み、前記握りロッドの右側端面には取るのに便利を与える補助紐が固定的に装着され、前記掴み部品の上側には調節部品が設置され、前記調節部品は前記握りロッドの頂端と回転できるように装着されているモータ筐体を含み、前記モータ筐体の下側端面には歯車Ｂが固定的に装着され、前記調節部品はまた調節を制御するつまみと歯車Ａを含み、つまみを回して歯車Ａを回転連動させ、歯車Ａが回転して歯車Ｂを回転連動させて角度を調節することを特徴とする置きやすい手持ちミニ扇風機。
【請求項２】
前記固定部品はまた前記吸盤溝の上側に設置されている押出ブロック溝を含み、前記押出ブロック溝と前記吸盤溝との間にはスライド軸がスライドできるように装着され、前記スライド軸には押出ブロックが固定的に装着され、前記吸盤が前記スライド軸の底部端面に固定的に装着され、前記押出ブロックと前記押出ブロック溝の頂壁との間には押圧ばねが固定的に装着され、前記バックルチャンバが前記押出ブロック溝の右側に設置されており、前記バックルチャンバと前記押出ブロック溝との間にはプッシュロッドがスライドできるように装着され、前記プッシュロッドが前記押出ブロックとスライドできるように装着され、且つ前記置き台の頂部端面と連通しており、前記Ｔ型溝の底壁の中には電極溝が設置され、前記電極溝の中には充電電極が固定的に装着され、前記置き台の左側端面にはプラグが固定的に連結され、前記置き台をテーブル面に置き、前記バックル押しバタンを押し、前記バックル押しボタンがプッシュロッドを連動させて押出ブロックとスライド軸を押し動かして上へ運動させ、前記スライド軸が前記吸盤を連動させてテーブル面に吸着し、下ろす時、前記弾性バックルを押し、それにより前記プッシュロッドが前記押出ブロックのプッシュにより右へ運動し、前記スライド軸が前記吸盤を連動させてテーブル面を下ろすことを特徴とする請求項１に記載の置きやすい手持ちミニ扇風機。
【請求項３】
前記掴み部品はまた前記握りロッドの底部端面に固定的に装着されているＴ型バックルを含み、前記Ｔ型バックルと前記Ｔ型溝とは引っ掛かることができ、それにより前記握りロッドがずっと鉛直に置かれる状態にあり、前記握りロッドの中には蓄電池が設置され、手を補助紐の中に置き、前記握りロッドが前記Ｔ型溝の軌道方向に沿ってスライドして扇風機を取り出すことを特徴とする請求項１に記載の置きやすい手持ちミニ扇風機。
【請求項４】
前記調節部品はまた前記握りロッドの頂部端面に設置されている開口溝を含み、前記開口溝の底壁の中には前記開口溝と連通している調節溝が設置され、前記握りロッドの左右端面の間には前記調節溝を貫通している歯車軸が回転できるように装着され、前記歯車Ａが前記歯車軸に固定的に装着され、前記つまみが前記歯車軸の右側端面に固定的に装着され、前記歯車軸には引っ掛かりブロックが固定的に装着され、前記歯車軸の左側末端には引っ掛かりロッドがヒンジにより連結されて装着され、前記開口溝の左右内壁の間には支持軸が固定的に装着され、前記歯車Ｂが前記支持軸と回転できるように装着され、前記歯車Ｂと前記歯車Ａとが噛み合っており、前記モータ筐体の中にはモータが固定的に装着され、前記モータの前側の出力軸端面には羽根軸が固定的に連結され、前記羽根軸の左側端面には羽根が固定的に装着され、前記モータと前記蓄電池との間には配電線が固定的に連結され、前記引っ掛かりロッドを回転させ、それにより前記歯車軸が緩められ、前記つまみを回し、前記歯車Ａが前記歯車Ｂにモータ筐体を回転連動させ、それにより前記モータ筐体に前後への揺れ動きの調節を行わせ、前記モータを始動し、前記モータが前記羽根を回転連動させて前記羽根に風を吹かせることを特徴とする請求項１に記載の置きやすい手持ちミニ扇風機。
【発明の詳細な説明】
【技術分野】
【０００１】
本発明は生活用品分野に関わり、具体的には置きやすい手持ちミニ扇風機である。
【背景技術】
【０００２】
手持ちミニ扇風機は一般に手で持って使用することができ、便利であり、手持ちミニ扇風機を使用した後、デーブルに任意に置き、それでは扇風機の羽根を損なうだけでなく、デーブルのスペースをかなり取ってテーブルが乱れるように見え、ミニ扇風機のヘッドが回転できなく、そのため、置きやすい手持ちミニ扇風機が必要で、扇風機の角度を調節できる。
【先行技術文献】
【特許文献】
【０００３】
【特許文献１】中国特許出願公開第103867467号明細書
【発明の概要】
【発明が解決しようとする課題】
【０００４】
本発明は置きやすい手持ちミニ扇風機を提供し、従来の技術にある上記欠点を解消することを目的とする。
【課題を解決するための手段】
【０００５】
本発明の実施例の置きやすい手持ちミニ扇風機は、支えられる置き台を含み、前記置き台の中にテーブル面に固定的に装着されることができる固定部品が設置され、前記固定部品は前記置き台の底部端面に設置されている吸盤溝を含み、前記吸盤溝の中には前記置き台をテーブル面に固定的に装着する吸盤がスライドできるように装着され、前記固定部品はまた前記置き台の中に設置されているバックルチャンバを含み、前記バックルチャンバと前記置き台の右側端面との間には前記バックルチャンバと連通しているバックルスライド溝が設置され、前記バックルスライド溝の中には前記吸盤をデーブル面に吸着できるバックル押しボタンがスライドできるように装着され、前記バックル押しボタンには前記吸盤の作動状態を保つ弾性バックルが設置され、前記弾性バックルと前記バックルチャンバの右側内壁とは引っ掛かることができ、前記吸盤溝の上側には扇風機本体を引っ掛からせるＴ型溝が設置され、前記Ｔ型溝と前記置き台の頂部端面とが連通しており、前記固定部品の上側には手持ちに便利を与える掴み部品が設置され、前記掴み部品は握りロッドを含み、前記握りロッドの右側端面には取るのに便利を与える補助紐が固定的に装着され、前記掴み部品の上側には調節部品が設置され、前記調節部品は前記握りロッドの頂端と回転できるように装着されているモータ筐体を含み、前記モータ筐体の下側端面には歯車Ｂが固定的に装着され、前記調節部品はまた調節を制御するつまみと歯車Ａを含み、つまみを回して歯車Ａを回転連動させ、歯車Ａが回転して歯車Ｂを回転連動させて角度を調節する。
【０００６】
さらなる技術プランには、前記固定部品はまた前記吸盤溝の上側に設置されている押出ブロック溝を含み、前記押出ブロック溝と前記吸盤溝との間にはスライド軸がスライドできるように装着され、前記スライド軸には押出ブロックが固定的に装着され、前記吸盤が前記スライド軸の底部端面に固定的に装着され、前記押出ブロックと前記押出ブロック溝の頂壁との間には押圧ばねが固定的に装着され、前記バックルチャンバが前記押出ブロック溝の右側に設置されており、前記バックルチャンバと前記押出ブロック溝との間にはプッシュロッドがスライドできるように装着され、前記プッシュロッドが前記押出ブロックとスライドできるように装着され、且つ前記置き台の頂部端面と連通しており、前記Ｔ型溝の底壁の中には電極溝が設置され、前記電極溝の中には充電電極が固定的に装着され、前記置き台の左側端面にはプラグが固定的に連結されている。
【０００７】
さらなる技術プランには、前記掴み部品はまた前記握りロッドの底部端面に固定的に装着されているＴ型バックルを含み、前記Ｔ型バックルと前記Ｔ型溝とは引っ掛かることができ、それにより前記握りロッドがずっと鉛直に置かれる状態にあり、前記握りロッドの中には蓄電池が設置されている。
【０００８】
さらなる技術プランには、前記調節部品はまた前記握りロッドの頂部端面に設置されている開口溝を含み、前記開口溝の底壁の中には前記開口溝と連通している調節溝が設置され、前記握りロッドの左右端面の間には前記調節溝を貫通している歯車軸が回転できるように装着され、前記歯車Ａが前記歯車軸に固定的に装着され、前記つまみが前記歯車軸の右側端面に固定的に装着され、前記歯車軸には引っ掛かりブロックが固定的に装着され、前記歯車軸の左側末端には引っ掛かりロッドがヒンジにより連結されて装着され、前記開口溝の左右内壁の間には支持軸が固定的に装着され、前記歯車Ｂが前記支持軸と回転できるように装着され、前記歯車Ｂと前記歯車Ａとが噛み合っており、前記モータ筐体の中にはモータが固定的に装着され、前記モータの前側の出力軸端面には羽根軸が固定的に連結され、前記羽根軸の左側端面には羽根が固定的に装着され、前記モータと前記蓄電池との間には配電線が固定的に連結されている。
【発明の効果】
【０００９】
本発明の有益な効果は：本発明は扇風機の置き台と充電台とを一緒に装着しており、扇風機が置かれたまま充電でき、使用されない時に鉛直に置かれ、それにより位置を固定し、ぶつかることで落ちて壊れることを防止でき、またテーブル面に置くスペースを減少し、これによりテーブル面がきれいに見え、扇風機の角度を調節でき、それで異なる角度で一番大きな風に当たる面積を獲得することを保証でき、普及する価値がある。
【図面の簡単な説明】
【００１０】
【図１】図１は本発明全体の構成概略図
【図２】図２は図１のＡ−Ａ方向の断面構成概略図
【図３】図３は図１のＢ−Ｂ方向の断面構成概略図
【図４】図４は図１のＣの拡大構成概略図
【図５】図５は部品３５と部品３６の立体的な組み立ての概略図
【発明を実施するための形態】
【００１１】
次に図１〜５を合わせて本発明を詳しく説明し、意思の疎通にもっと便利なため、後文に出る方位を以下の通りに規定する：下記の上下左右前後の方向は図１自体の投影関係の上下左右前後の方向と一致している。
【００１２】
図１〜５を参照し、本発明の実施例の置きやすい手持ちミニ扇風機は、支えられる置き台１０を含み、前記置き台１０の中にテーブル面に固定的に装着されることができる固定部品８０が設置され、前記固定部品８０は前記置き台１０の底部端面に設置されている吸盤溝１１を含み、前記吸盤溝１１の中には前記置き台１０をテーブル面に固定的に装着する吸盤１２がスライドできるように装着され、前記固定部品８０はまた前記置き台１０の中に設置されているバックルチャンバ１７を含み、前記バックルチャンバ１７と前記置き台１０の右側端面との間には前記バックルチャンバ１７と連通しているバックルスライド溝１８が設置され、前記バックルスライド溝１８の中には前記吸盤１２をデーブル面に吸着できるバックル押しボタン１９がスライドできるように装着され、前記バックル押しボタン１９には前記吸盤１２の作動状態を保つ弾性バックル２０が設置され、前記弾性バックル２０と前記バックルチャンバ１７の右側内壁とは引っ掛かることができ、前記吸盤溝１１の上側には扇風機本体を引っ掛からせるＴ型溝２５が設置され、前記Ｔ型溝２５と前記置き台１０の頂部端面とが連通しており、前記固定部品８０の上側には手持ちに便利を与える掴み部品８１が設置され、前記掴み部品８１は握りロッド２７を含み、前記握りロッド２７の右側端面には取るのに便利を与える補助紐４３が固定的に装着され、前記掴み部品８１の上側には調節部品８２が設置され、前記調節部品８２は前記握りロッド２７の頂端と回転できるように装着されているモータ筐体３８を含み、前記モータ筐体３８の下側端面には歯車Ｂ３６が固定的に装着され、前記調節部品８２はまた調節を制御するつまみ３４と歯車Ａ３３を含み、つまみ３４を回して歯車Ａ３３を回転連動させ、歯車Ａ３３が回転して歯車Ｂ３６を回転連動させて角度を調節する。
【００１３】
前記固定部品８０はまた前記吸盤溝１１の上側に設置されている押出ブロック溝１５を含み、前記押出ブロック溝１５と前記吸盤溝１１との間にはスライド軸１３がスライドできるように装着され、前記スライド軸１３には押出ブロック１４が固定的に装着され、前記吸盤１２が前記スライド軸１３の底部端面に固定的に装着され、前記押出ブロック１４と前記押出ブロック溝１５の頂壁との間には押圧ばね２１が固定的に装着され、前記バックルチャンバ１７が前記押出ブロック溝１５の右側に設置されており、前記バックルチャンバ１７と前記押出ブロック溝１５との間にはプッシュロッド１６がスライドできるように装着され、前記プッシュロッド１６が前記押出ブロック１４とスライドできるように装着され、且つ前記置き台１０の頂部端面と連通しており、前記Ｔ型溝２５の底壁の中には電極溝２３が設置され、前記電極溝２３の中には充電電極２４が固定的に装着され、前記置き台１０の左側端面にはプラグ２２が固定的に連結され、それにより置き台１０をテーブル面に置き、バックル押しバタン１９を押し、バックル押しバタン１９が左へ運動し、それにより弾性バックル２０とバックルチャンバ１７の右側内壁とが引っ掛かり、バックル押しボタン１９がプッシュロッド１６を連動させて押出ブロック１４とスライド軸１３を押し動かして上へ運動させ、スライド軸１３が吸盤１２を連動させてテーブル面に吸着し、下ろす時、弾性バックル２０を押し、それによりプッシュロッド１６が押出ブロック１４のプッシュにより右へ運動し、スライド軸１３が吸盤１２を連動させてテーブル面を下ろす。
【００１４】
前記掴み部品８１はまた前記握りロッド２７の底部端面に固定的に装着されているＴ型バックル２６を含み、前記Ｔ型バックル２６と前記Ｔ型溝２５とは引っ掛かることができ、それにより前記握りロッド２７がずっと鉛直に置かれる状態にあり、前記握りロッド２７の中には蓄電池２８が設置され、そして手を補助紐４３の中に置き、握りロッド２７がＴ型溝２５の軌道方向に沿ってスライドして扇風機を取り出す。
【００１５】
前記調節部品８２はまた前記握りロッド２７の頂部端面に設置されている開口溝３７を含み、前記開口溝３７の底壁の中には前記開口溝３７と連通している調節溝３２が設置され、前記握りロッド２７の左右端面の間には前記調節溝３２を貫通している歯車軸３０が回転できるように装着され、前記歯車Ａ３３が前記歯車軸３０に固定的に装着され、前記つまみ３４が前記歯車軸３０の右側端面に固定的に装着され、前記歯車軸３０には引っ掛かりブロック３１が固定的に装着され、前記歯車軸３０の左側末端には引っ掛かりロッド２９がヒンジにより連結されて装着され、前記開口溝３７の左右内壁の間には支持軸３５が固定的に装着され、前記歯車Ｂ３６が前記支持軸３５と回転できるように装着され、前記歯車Ｂ３６と前記歯車Ａ３３とが噛み合っており、前記モータ筐体３８の中にはモータ３９が固定的に装着され、前記モータ３９の前側の出力軸端面には羽根軸４０が固定的に連結され、前記羽根軸４０の左側端面には羽根４１が固定的に装着され、前記モータ３９と前記蓄電池２８との間には配電線４２が固定的に連結され、それにより引っ掛かりロッド２９を回転させ、それにより歯車軸３０が緩められ、つまみ３４を回し、つまみ３４が歯車Ａ３３を回転連動させ、歯車Ａ３３が歯車Ｂ３６にモータ筐体３８を回転連動させ、それによりモータ筐体３８に前後への揺れ動きの調節を行わせ、モータ３９を始動し、モータ３９が羽根４１を回転連動させて羽根４１に風を吹かせる。
【００１６】
使用する時、手を補助紐４３の中に置き、扇風機を手で持って使用し、モータ３９を始動し、モータ３９が羽根４１を回転連動させて羽根４１に風を吹かせ、引っ掛かりロッド２９を回転させ、それにより歯車軸３０が緩められ、つまみ３４を回し、つまみ３４が歯車Ａ３３を回転連動させ、歯車Ａ３３が歯車Ｂ３６にモータ筐体３８を回転連動させ、それによりモータ筐体３８に前後への揺れ動きの調節を行わせ、使用した後、置き台１０をテーブル面に置き、バックル押しバタン１９を押し、バックル押しバタン１９が左へ運動し、それにより弾性バックル２０とバックルチャンバ１７の右側内壁とが引っ掛かり、バックル押しボタン１９がプッシュロッド１６を連動させて押出ブロック１４とスライド軸１３を押し動かして上へ運動させ、スライド軸１３が吸盤１２を連動させてテーブル面に吸着し、Ｔ型バックル２６をＴ型溝２５の方向に向かってＴ型溝２５の中に滑り込ませて置き台１０に置き、扇風機を移動する時、弾性バックル２０を押し、それによりプッシュロッド１６が押出ブロック１４のプッシュにより右へ運動し、スライド軸１３が吸盤１２を連動させてテーブル面を下ろして扇風機全体を移すことができる。
【００１７】
本発明の有益な効果は：本発明は扇風機の置き台と充電台とを一緒に装着しており、扇風機が置かれたまま充電でき、使用されない時に鉛直に置かれ、それにより位置を固定し、ぶつかることで落ちて壊れることを防止でき、またテーブル面に置くスペースを減少し、これによりテーブル面がきれいに見え、扇風機の角度を調節でき、それで異なる角度で一番大きな風に当たる面積を獲得することを保証でき、普及する価値がある。
【００１８】
当業者は明確できるのは、本発明の総体精神及び構想を離脱しない限り、上記の実施例に対して各種の変型を行える。それらの変型がいずれも本発明の保護範囲に含む。本発明の保護方案が本発明に添付された特許請求の範囲を基準とするべきである。
【図１】
2020180609.tif 000003
【図２】
2020180609.tif 000004
【図３】
2020180609.tif 000005
【図４】
2020180609.tif 000006
【図５】
2020180609.tif 000007
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
置き台を含み、前記置き台の中にテーブル面に固定的に装着されることができる固定部品が設置され、前記固定部品は前記置き台の底部端面に設置されている吸盤溝を含み、前記吸盤溝の中には前記置き台をテーブル面に固定的に装着する吸盤がスライドできるように装着され、前記固定部品はまた前記置き台の中に設置されているバックルチャンバを含み、前記バックルチャンバと前記置き台の右側端面との間には前記バックルチャンバと連通しているバックルスライド溝が設置され、前記バックルスライド溝の中には前記吸盤をテーブル面に吸着できるバックル押しボタンがスライドできるように装着され、前記バックル押しボタンには前記吸盤の作動状態を保つ弾性バックルが設置され、前記弾性バックルと前記バックルチャンバの右側内壁とは引っ掛かることができ、前記吸盤溝の上側には扇風機本体を引っ掛からせるＴ型溝が設置され、前記Ｔ型溝と前記置き台の頂部端面とが連通しており、前記固定部品の上側には手持ちに便利を与える掴み部品が設置され、前記掴み部品は握りロッドを含み、前記握りロッドの右側端面には取るのに便利を与える補助紐が固定的に装着され、前記掴み部品の上側には調節部品が設置され、前記調節部品は前記握りロッドの頂端と回転できるように装着されているモータ筐体を含み、前記モータ筐体の下側端面には歯車Ｂが固定的に装着され、前記調節部品はまた調節を制御するつまみと歯車Ａを含み、つまみを回して歯車Ａを回転連動させ、歯車Ａが回転して歯車Ｂを回転連動させて角度を調節することを特徴とする置きやすい手持ちミニ扇風機。
【請求項２】
前記固定部品はまた前記吸盤溝の上側に設置されている押出ブロック溝を含み、前記押出ブロック溝と前記吸盤溝との間にはスライド軸がスライドできるように装着され、前記スライド軸には押出ブロックが固定的に装着され、前記吸盤が前記スライド軸の底部端面に固定的に装着され、前記押出ブロックと前記押出ブロック溝の頂壁との間には押圧ばねが固定的に装着され、前記バックルチャンバが前記押出ブロック溝の右側に設置されており、前記バックルチャンバと前記押出ブロック溝との間にはプッシュロッドがスライドできるように装着され、前記プッシュロッドが前記押出ブロックとスライドできるように装着され、前記Ｔ型溝の底壁の中には電極溝が設置され、前記電極溝の中には充電電極が固定的に装着され、前記置き台の左側端面にはプラグが固定的に連結され、前記置き台をテーブル面に置き、前記バックル押しボタンを押し、前記バックル押しボタンがプッシュロッドを連動させて押出ブロックとスライド軸を押し動かして上へ運動させ、前記スライド軸が前記吸盤を連動させてテーブル面に吸着し、下ろす時、前記弾性バックルを押し、それにより前記プッシュロッドが前記押出ブロックのプッシュにより右へ運動し、前記スライド軸が前記吸盤を連動させてテーブル面から離脱させることを特徴とする請求項１に記載の置きやすい手持ちミニ扇風機。
【請求項３】
前記掴み部品はまた前記握りロッドの底部端面に固定的に装着されているＴ型バックルを含み、前記Ｔ型バックルと前記Ｔ型溝とは引っ掛かることができ、それにより前記握りロッドがずっと鉛直に置かれる状態にあり、前記握りロッドの中には蓄電池が設置され、手を補助紐の中に置き、前記握りロッドが前記Ｔ型溝の軌道方向に沿ってスライドして扇風機を取り出すことを特徴とする請求項１に記載の置きやすい手持ちミニ扇風機。
【請求項４】
前記調節部品はまた前記握りロッドの頂部端面に設置されている開口溝を含み、前記開口溝の底壁の中には前記開口溝と連通している調節溝が設置され、前記握りロッドの左右端面の間には前記調節溝を貫通している歯車軸が回転できるように装着され、前記歯車Ａが前記歯車軸に固定的に装着され、前記つまみが前記歯車軸の右側端面に固定的に装着され、前記歯車軸には引っ掛かりブロックが固定的に装着され、前記歯車軸の左側末端には引っ掛かりロッドがヒンジにより連結されて装着され、前記開口溝の左右内壁の間には支持軸が固定的に装着され、前記歯車Ｂが前記支持軸と回転できるように装着され、前記歯車Ｂと前記歯車Ａとが噛み合っており、前記モータ筐体の中にはモータが固定的に装着され、前記モータの前側の出力軸端面には羽根軸が固定的に連結され、前記羽根軸の前端には羽根が固定的に装着され、前記モータと前記蓄電池との間には配電線が固定的に連結され、前記引っ掛かりロッドを回転させ、それにより前記歯車軸が緩められ、前記つまみを回し、前記歯車Ａが前記歯車Ｂにモータ筐体を回転連動させ、それにより前記モータ筐体に前後への揺れ動きの調節を行わせ、前記モータを始動し、前記モータが前記羽根を回転連動させて前記羽根に風を吹かせることを特徴とする請求項１に記載の置きやすい手持ちミニ扇風機。
【手続補正２】
【補正対象書類名】明細書
【補正対象項目名】全文
【補正方法】変更
【補正の内容】
【発明の詳細な説明】
【技術分野】
【０００１】
本発明は生活用品分野に関わり、具体的には置きやすい手持ちミニ扇風機である。
【背景技術】
【０００２】
手持ちミニ扇風機は一般に手で持って使用することができ、便利であり、手持ちミニ扇風機を使用した後、デーブルに任意に置き、それでは扇風機の羽根を損なうだけでなく、デーブルのスペースをかなり取ってテーブルが乱れるように見え、ミニ扇風機のヘッドが回転できなく、そのため、置きやすい手持ちミニ扇風機が必要で、扇風機の角度を調節できる。
【先行技術文献】
【特許文献】
【０００３】
【特許文献１】中国特許出願公開第１０３８６７４６７号明細書
【発明の概要】
【発明が解決しようとする課題】
【０００４】
本発明は置きやすい手持ちミニ扇風機を提供し、従来の技術にある上記欠点を解消することを目的とする。
【課題を解決するための手段】
【０００５】
本発明の実施例の置きやすい手持ちミニ扇風機は、置き台を含み、前記置き台の中にテーブル面に固定的に装着されることができる固定部品が設置され、前記固定部品は前記置き台の底部端面に設置されている吸盤溝を含み、前記吸盤溝の中には前記置き台をテーブル面に固定的に装着する吸盤がスライドできるように装着され、前記固定部品はまた前記置き台の中に設置されているバックルチャンバを含み、前記バックルチャンバと前記置き台の右側端面との間には前記バックルチャンバと連通しているバックルスライド溝が設置され、前記バックルスライド溝の中には前記吸盤をテーブル面に吸着できるバックル押しボタンがスライドできるように装着され、前記バックル押しボタンには前記吸盤の作動状態を保つ弾性バックルが設置され、前記弾性バックルと前記バックルチャンバの右側内壁とは引っ掛かることができ、前記吸盤溝の上側には扇風機本体を引っ掛からせるＴ型溝が設置され、前記Ｔ型溝と前記置き台の頂部端面とが連通しており、前記固定部品の上側には手持ちに便利を与える掴み部品が設置され、前記掴み部品は握りロッドを含み、前記握りロッドの右側端面には取るのに便利を与える補助紐が固定的に装着され、前記掴み部品の上側には調節部品が設置され、前記調節部品は前記握りロッドの頂端と回転できるように装着されているモータ筐体を含み、前記モータ筐体の下側端面には歯車Ｂが固定的に装着され、前記調節部品はまた調節を制御するつまみと歯車Ａを含み、つまみを回して歯車Ａを回転連動させ、歯車Ａが回転して歯車Ｂを回転連動させて角度を調節する。
【０００６】
さらなる技術プランには、前記固定部品はまた前記吸盤溝の上側に設置されている押出ブロック溝を含み、前記押出ブロック溝と前記吸盤溝との間にはスライド軸がスライドできるように装着され、前記スライド軸には押出ブロックが固定的に装着され、前記吸盤が前記スライド軸の底部端面に固定的に装着され、前記押出ブロックと前記押出ブロック溝の頂壁との間には押圧ばねが固定的に装着され、前記バックルチャンバが前記押出ブロック溝の右側に設置されており、前記バックルチャンバと前記押出ブロック溝との間にはプッシュロッドがスライドできるように装着され、前記プッシュロッドが前記押出ブロックとスライドできるように装着され、前記Ｔ型溝の底壁の中には電極溝が設置され、前記電極溝の中には充電電極が固定的に装着され、前記置き台の左側端面にはプラグが固定的に連結されている。
【０００７】
さらなる技術プランには、前記掴み部品はまた前記握りロッドの底部端面に固定的に装着されているＴ型バックルを含み、前記Ｔ型バックルと前記Ｔ型溝とは引っ掛かることができ、それにより前記握りロッドがずっと鉛直に置かれる状態にあり、前記握りロッドの中には蓄電池が設置されている。
【０００８】
さらなる技術プランには、前記調節部品はまた前記握りロッドの頂部端面に設置されている開口溝を含み、前記開口溝の底壁の中には前記開口溝と連通している調節溝が設置され、前記握りロッドの左右端面の間には前記調節溝を貫通している歯車軸が回転できるように装着され、前記歯車Ａが前記歯車軸に固定的に装着され、前記つまみが前記歯車軸の右側端面に固定的に装着され、前記歯車軸には引っ掛かりブロックが固定的に装着され、前記歯車軸の左側末端には引っ掛かりロッドがヒンジにより連結されて装着され、前記開口溝の左右内壁の間には支持軸が固定的に装着され、前記歯車Ｂが前記支持軸と回転できるように装着され、前記歯車Ｂと前記歯車Ａとが噛み合っており、前記モータ筐体の中にはモータが固定的に装着され、前記モータの前側の出力軸端面には羽根軸が固定的に連結され、前記羽根軸の前端には羽根が固定的に装着され、前記モータと前記蓄電池との間には配電線が固定的に連結されている。
【発明の効果】
【０００９】
本発明の有益な効果は：本発明は扇風機の置き台と充電台とを一緒に装着しており、扇風機が置かれたまま充電でき、使用されない時に鉛直に置かれ、それにより位置を固定し、ぶつかることで落ちて壊れることを防止でき、またテーブル面に置くスペースを減少し、これによりテーブル面がきれいに見え、扇風機の角度を調節でき、それで異なる角度で一番大きな風に当たる面積を獲得することを保証でき、普及する価値がある。
【図面の簡単な説明】
【００１０】
【図１】図１は本発明全体の構成概略図
【図２】図２は図１のＡ−Ａ方向の断面構成概略図
【図３】図３は図１のＢ−Ｂ方向の断面構成概略図
【図４】図４は図１のＣの拡大構成概略図
【図５】図５は部品３５と部品３６の立体的な組み立ての概略図
【発明を実施するための形態】
【００１１】
次に図１〜５を合わせて本発明を詳しく説明し、意思の疎通にもっと便利なため、後文に出る方位を以下の通りに規定する：下記の上下左右前後の方向は図１自体の投影関係の上下左右前後の方向と一致している。
【００１２】
図１〜５を参照し、本発明の実施例の置きやすい手持ちミニ扇風機は、置き台１０を含み、前記置き台１０の中にテーブル面に固定的に装着されることができる固定部品８０が設置され、前記固定部品８０は前記置き台１０の底部端面に設置されている吸盤溝１１を含み、前記吸盤溝１１の中には前記置き台１０をテーブル面に固定的に装着する吸盤１２がスライドできるように装着され、前記固定部品８０はまた前記置き台１０の中に設置されているバックルチャンバ１７を含み、前記バックルチャンバ１７と前記置き台１０の右側端面との間には前記バックルチャンバ１７と連通しているバックルスライド溝１８が設置され、前記バックルスライド溝１８の中には前記吸盤１２をテーブル面に吸着できるバックル押しボタン１９がスライドできるように装着され、前記バックル押しボタン１９には前記吸盤１２の作動状態を保つ弾性バックル２０が設置され、前記弾性バックル２０と前記バックルチャンバ１７の右側内壁とは引っ掛かることができ、前記吸盤溝１１の上側には扇風機本体を引っ掛からせるＴ型溝２５が設置され、前記Ｔ型溝２５と前記置き台１０の頂部端面とが連通しており、前記固定部品８０の上側には手持ちに便利を与える掴み部品８１が設置され、前記掴み部品８１は握りロッド２７を含み、前記握りロッド２７の右側端面には取るのに便利を与える補助紐４３が固定的に装着され、前記掴み部品８１の上側には調節部品８２が設置され、前記調節部品８２は前記握りロッド２７の頂端と回転できるように装着されているモータ筐体３８を含み、前記モータ筐体３８の下側端面には歯車Ｂ３６が固定的に装着され、前記調節部品８２はまた調節を制御するつまみ３４と歯車Ａ３３を含み、つまみ３４を回して歯車Ａ３３を回転連動させ、歯車Ａ３３が回転して歯車Ｂ３６を回転連動させて角度を調節する。
【００１３】
前記固定部品８０はまた前記吸盤溝１１の上側に設置されている押出ブロック溝１５を含み、前記押出ブロック溝１５と前記吸盤溝１１との間にはスライド軸１３がスライドできるように装着され、前記スライド軸１３には押出ブロック１４が固定的に装着され、前記吸盤１２が前記スライド軸１３の底部端面に固定的に装着され、前記押出ブロック１４と前記押出ブロック溝１５の頂壁との間には押圧ばね２１が固定的に装着され、前記バックルチャンバ１７が前記押出ブロック溝１５の右側に設置されており、前記バックルチャンバ１７と前記押出ブロック溝１５との間にはプッシュロッド１６がスライドできるように装着され、前記プッシュロッド１６が前記押出ブロック１４とスライドできるように装着され、前記Ｔ型溝２５の底壁の中には電極溝２３が設置され、前記電極溝２３の中には充電電極２４が固定的に装着され、前記置き台１０の左側端面にはプラグ２２が固定的に連結され、それにより置き台１０をテーブル面に置き、バックル押しボタン１９を押し、バックル押しボタン１９が左へ運動し、それにより弾性バックル２０とバックルチャンバ１７の右側内壁とが引っ掛かり、バックル押しボタン１９がプッシュロッド１６を連動させて押出ブロック１４とスライド軸１３を押し動かして上へ運動させ、スライド軸１３が吸盤１２を連動させてテーブル面に吸着し、下ろす時、弾性バックル２０を押し、それによりプッシュロッド１６が押出ブロック１４のプッシュにより右へ運動し、スライド軸１３が吸盤１２を連動させてテーブル面から離脱させる。
【００１４】
前記掴み部品８１はまた前記握りロッド２７の底部端面に固定的に装着されているＴ型バックル２６を含み、前記Ｔ型バックル２６と前記Ｔ型溝２５とは引っ掛かることができ、それにより前記握りロッド２７がずっと鉛直に置かれる状態にあり、前記握りロッド２７の中には蓄電池２８が設置され、そして手を補助紐４３の中に置き、握りロッド２７がＴ型溝２５の軌道方向に沿ってスライドして扇風機を取り出す。
【００１５】
前記調節部品８２はまた前記握りロッド２７の頂部端面に設置されている開口溝３７を含み、前記開口溝３７の底壁の中には前記開口溝３７と連通している調節溝３２が設置され、前記握りロッド２７の左右端面の間には前記調節溝３２を貫通している歯車軸３０が回転できるように装着され、前記歯車Ａ３３が前記歯車軸３０に固定的に装着され、前記つまみ３４が前記歯車軸３０の右側端面に固定的に装着され、前記歯車軸３０には引っ掛かりブロック３１が固定的に装着され、前記歯車軸３０の左側末端には引っ掛かりロッド２９がヒンジにより連結されて装着され、前記開口溝３７の左右内壁の間には支持軸３５が固定的に装着され、前記歯車Ｂ３６が前記支持軸３５と回転できるように装着され、前記歯車Ｂ３６と前記歯車Ａ３３とが噛み合っており、前記モータ筐体３８の中にはモータ３９が固定的に装着され、前記モータ３９の前側の出力軸端面には羽根軸４０が固定的に連結され、前記羽根軸４０の前端には羽根４１が固定的に装着され、前記モータ３９と前記蓄電池２８との間には配電線４２が固定的に連結され、それにより引っ掛かりロッド２９を回転させ、それにより歯車軸３０が緩められ、つまみ３４を回し、つまみ３４が歯車Ａ３３を回転連動させ、歯車Ａ３３が歯車Ｂ３６にモータ筐体３８を回転連動させ、それによりモータ筐体３８に前後への揺れ動きの調節を行わせ、モータ３９を始動し、モータ３９が羽根４１を回転連動させて羽根４１に風を吹かせる。
【００１６】
使用する時、手を補助紐４３の中に置き、扇風機を手で持って使用し、モータ３９を始動し、モータ３９が羽根４１を回転連動させて羽根４１に風を吹かせ、引っ掛かりロッド２９を回転させ、それにより歯車軸３０が緩められ、つまみ３４を回し、つまみ３４が歯車Ａ３３を回転連動させ、歯車Ａ３３が歯車Ｂ３６にモータ筐体３８を回転連動させ、それによりモータ筐体３８に前後への揺れ動きの調節を行わせ、使用した後、置き台１０をテーブル面に置き、バックル押しボタン１９を押し、バックル押しボタン１９が左へ運動し、それにより弾性バックル２０とバックルチャンバ１７の右側内壁とが引っ掛かり、バックル押しボタン１９がプッシュロッド１６を連動させて押出ブロック１４とスライド軸１３を押し動かして上へ運動させ、スライド軸１３が吸盤１２を連動させてテーブル面に吸着し、Ｔ型バックル２６をＴ型溝２５の方向に向かってＴ型溝２５の中に滑り込ませて置き台１０に置き、扇風機を移動する時、弾性バックル２０を押し、それによりプッシュロッド１６が押出ブロック１４のプッシュにより右へ運動し、スライド軸１３が吸盤１２を連動させてテーブル面から離脱させることによって扇風機全体を移すことができる。
【００１７】
本発明の有益な効果は：本発明は扇風機の置き台と充電台とを一緒に装着しており、扇風機が置かれたまま充電でき、使用されない時に鉛直に置かれ、それにより位置を固定し、ぶつかることで落ちて壊れることを防止でき、またテーブル面に置くスペースを減少し、これによりテーブル面がきれいに見え、扇風機の角度を調節でき、それで異なる角度で一番大きな風に当たる面積を獲得することを保証でき、普及する価値がある。
【００１８】
当業者は明確できるのは、本発明の総体精神及び構想を離脱しない限り、上記の実施例に対して各種の変型を行える。それらの変型がいずれも本発明の保護範囲に含む。本発明の保護方案が本発明に添付された特許請求の範囲を基準とするべきである。